(57)【特許請求の範囲】
【請求項１】
人体通信のためのデジタルマルチメディア放送（ＤＭＢ）受信用携帯装置であって、
ＤＭＢ信号をＤＭＢ受信信号処理してオーディオ／ビデオ信号に変換し、前記ＤＭＢ受信信号の処理過程において生成されるＩＦ帯域放送信号又は伝送ストリーム（ＴＳ）を送信電極に伝達するためのＤＭＢ受信手段と、
前記ＩＦ帯域放送信号又は前記伝送ストリーム（ＴＳ）を人体通信用ＤＭＢ信号で人体に印加するための送信電極とを備えることを特徴とするＤＭＢ受信用携帯装置。
【請求項２】
前記ＤＭＢ受信手段で変換されたオーディオ／ビデオ信号を出力するための出力手段をさらに備えることを特徴とする請求項１に記載のＤＭＢ受信用携帯装置。
【請求項３】
前記ＤＭＢ受信手段は、
アンテナを介して受信されたＲＦ帯域のＤＭＢ信号を中間周波数（ＩＦ）帯域のＤＭＢ信号に変換し、ベースバンド処理手段及び前記送信電極に出力するためのＲＦチューナ手段と、
前記ＩＦ帯域のＤＭＢ信号をＤＭＢ規格に応じて伝送ストリーム（ＴＳ）に変換するための前記ベースバンド処理手段と、
前記伝送ストリーム（ＴＳ）をオーディオ／ビデオ信号に変換するためのマルチメディア処理手段とを備えることを特徴とする請求項１又は２に記載のＤＭＢ受信用携帯装置。
【請求項４】
前記ＤＭＢ受信手段は、
アンテナを介して受信されたＲＦ帯域のＤＭＢ信号を中間周波数（ＩＦ）帯域のＤＭＢ信号に変換するためのＲＦチューナ手段と、
前記ＩＦ帯域のＤＭＢ信号をＤＭＢ規格に応じて伝送ストリーム（ＴＳ）に変換し、マルチメディア処理手段及び前記送信電極に出力するためのベースバンド処理手段と、
前記伝送ストリーム（ＴＳ）をオーディオ／ビデオ信号に変換するための前記マルチメディア処理手段とを備えることを特徴とする請求項１又は２に記載のＤＭＢ受信用携帯装置。
【請求項５】
ＤＭＢ受信処理機能を備えたヘッドマウントディスプレイ（ＨＭＤ）装置であって、
ＤＭＢ受信用携帯装置からユーザの人体を介して伝送される人体通信用ＤＭＢ信号を受信するための受信電極と、
ＤＭＢ受信信号処理によって前記人体通信用ＤＭＢ信号をオーディオ／ビデオ信号に変換し、前記オーディオ／ビデオ信号をＨＭＤ規格に適合するオーディオ／ビデオデータに変換するためのＤＭＢ受信処理手段と、
前記ＤＭＢ受信処理手段で変換されたＨＭＤオーディオ／ビデオデータを再生するためのＨＭＤ処理手段とを備えることを特徴とする人体通信を利用したＤＭＢ受信用ＨＭＤ装置。
【請求項６】
前記ＤＭＢ受信処理手段は、
前記受信電極を介して受信されたＩＦ帯域のＤＭＢ信号（人体通信用ＤＭＢ信号）をＤＭＢ規格に応じて伝送ストリーム（ＴＳ）に変換するためのベースバンド処理手段と、
前記伝送ストリーム（ＴＳ）をオーディオ／ビデオ信号に変換するためのマルチメディア処理手段と、
前記オーディオ／ビデオ信号をＨＭＤ規格に適合するオーディオ／ビデオデータに変換するための信号変換手段とを備えることを特徴とする請求項５に記載の人体通信を利用したＤＭＢ受信用ＨＭＤ装置。
【請求項７】
前記ＤＭＢ受信処理手段は、
前記受信電極を介して伝送された伝送ストリーム（ＴＳ）（人体通信用ＤＭＢ信号）をオーディオ／ビデオ信号に変換するためのマルチメディア処理手段と、
前記オーディオ／ビデオ信号をＨＭＤ規格に適合するオーディオ／ビデオデータに変換するための信号変換手段とを備えることを特徴とする請求項５に記載の人体通信を利用したＤＭＢ受信用ＨＭＤ装置。
【請求項８】
前記受信電極を介して受信された人体通信用ＤＭＢ信号の歪曲を補正するための復元手段をさらに備えることを特徴とする請求項６又は７に記載の人体通信を利用したＤＭＢ受信用ＨＭＤ装置。
【請求項９】
デジタルマルチメディア放送（ＤＭＢ）の受信機能を有する携帯装置に適用される人体通信用ＤＭＢ信号の伝送方法であって、
アンテナを介して受信されたＲＦ帯域のＤＭＢ信号をＤＭＢ受信信号処理してオーディオ／ビデオ信号に変換するＤＭＢ受信ステップと、
前記ＤＭＢ受信ステップにおけるＤＭＢ受信信号の処理過程において生成されるＩＦ帯域放送信号又は伝送ストリーム（ＴＳ）をユーザの人体に印加して該当のＨＭＤ装置に送信する人体通信ステップとを含むことを特徴とする人体通信用ＤＭＢ信号の伝送方法。
【請求項１０】
前記ＤＭＢ受信ステップは、
前記ＲＦ帯域のＤＭＢ信号をＩＦ帯域のＤＭＢ信号に変換するステップと、
前記ＩＦ帯域のＤＭＢ信号をＤＭＢ規格に応じて伝送ストリーム（ＴＳ）に変換するステップと、
前記変換された伝送ストリーム（ＴＳ）をオーディオ／ビデオ信号に変換するステップとを含むことを特徴とする請求項９に記載の人体通信用ＤＭＢ信号の伝送方法。
【請求項１１】
人体通信を利用したＤＭＢ受信用ＨＭＤ装置に適用されるＤＭＢ受信方法であって、
ＤＭＢ受信用携帯装置からユーザの人体を介して伝送される人体通信用ＤＭＢ信号をＤＭＢ受信信号処理してオーディオ／ビデオ信号に変換するＤＭＢ受信処理ステップと、
前記オーディオ／ビデオ信号をＨＭＤ規格に適合するオーディオ／ビデオデータに変換するＨＭＤデータ生成ステップと、
前記変換されたオーディオ／ビデオＨＭＤデータを再生するＨＭＤ処理ステップとを含むことを特徴とするＨＭＤ装置におけるＤＭＢ受信方法。
【請求項１２】
前記ＤＭＢ受信処理ステップは、
受信電極を介して受信された人体通信用ＩＦ帯域のＤＭＢ信号をＤＭＢ規格に応じて伝送ストリーム（ＴＳ）に変換するベースバンド処理ステップと、
前記伝送ストリーム（ＴＳ）をオーディオ／ビデオ信号に変換するマルチメディア処理ステップと、
前記オーディオ／ビデオ信号をＨＭＤ規格に適合するオーディオ／ビデオデータに変換する信号変換ステップとを含むことを特徴とする請求項１１に記載のＨＭＤ装置におけるＤＭＢ受信方法。
【請求項１３】
前記ＤＭＢ受信処理ステップは、
受信電極を介して伝送された人体通信用伝送ストリーム（ＴＳ）をオーディオ／ビデオ信号に変換するマルチメディア処理ステップと、
前記オーディオ／ビデオ信号をＨＭＤ規格に適合するオーディオ／ビデオデータに変換する信号変換ステップとを含むことを特徴とする請求項１１に記載のＨＭＤ装置におけるＤＭＢ受信方法。
【発明の詳細な説明】
【技術分野】
【０００１】
本発明は、人体通信のためのデジタルマルチメディア放送（ＤＭＢ：Ｄｉｇｉｔａｌ  Ｍｕｌｔｉｍｅｄｉａ  Ｂｒｏａｄｃａｓｔｉｎｇ）受信用携帯装置及びそのＤＭＢ送信方法、人体通信を利用したＤＭＢ受信用ＨＭＤ（Ｈｅａｄ  Ｍｏｕｎｔｅｄ  Ｄｉｓｐｌａｙ）装置及びそのＤＭＢ送信方法に関し、より詳細には、ＤＭＢ受信機能を備えた携帯装置において、ＤＭＢデータを、人体を介してＨＭＤ装置に伝送し、ＨＭＤ装置では人体を介して受信されたＤＭＢデータをＤＭＢ受信処理して再生させることによって、携帯装置とＨＭＤ装置とを接続する別途のケーブル又はアンテナ無しでユーザの人体を介してＤＭＢサービスを便利に受信することを可能にする人体通信のためのＤＭＢ受信用携帯装置及びそのＤＭＢ送信方法、人体通信を利用したＤＭＢ受信用ＨＭＤ装置及びそのＤＭＢ送信方法に関する。
【０００２】
この研究は、韓国情報通信省（ＭＩＣ）及び／又は韓国情報通信研究振興院（ＩＩＴＡ）の情報技術（ＩＴ）研究開発計画によって支援された［2006-S-072-01, “Controller SoC for Human Body Communication”］。
【背景技術】
【０００３】
デジタルマルチメディア放送（ＤＭＢ）サービスは、車両又は歩道による移動中のユーザに、オーディオ、ビデオ及び各種データなどの多様なマルチメディアサービスを提供することを意図する。ＤＭＢは、地上波ＤＭＢ及び衛星ＤＭＢに分類することができる。
【０００４】
この中で地上波ＤＭＢは、現在アナログＴＶ放送に使用されている放送用の基地局を用いて約２００ＭＨｚ帯域の超短波（ＶＨＦ：Ｖｅｒｙ  Ｈｉｇｈ  Ｆｒｅｑｕｅｎｃｙ）帯域信号を送信し、これを各ユーザが所有している受信機を使用して受信するサービスである。このような地上波ＤＭＢサービスに使用されている受信機としては、車両用、固定用、及び携帯用などの多様な形態があるが、その中でも地上波ＤＭＢ専用の受信機、又は既存の携帯電話機と結合した受信機形態の携帯用ＤＭＢ受信機が最も爆発的な需要が予想される。
【０００５】
現在、携帯用ＤＭＢ受信機のマルチメディアデータをヘッドマウントディスプレイ（ＨＭＤ：Ｈｅａｄ  Ｍｏｕｎｔｅｄ  Ｄｉｓｐｌａｙ）装置に伝送する方式として、有線伝送媒体を利用する方式及び無線伝送媒体を利用する方式がある。有線を利用する場合は、ケーブル接続による行動の制約があることでユーザへの不便を招く不具合があり、無線を利用する場合は、ＤＭＢ受信機とＨＭＤ装置との接続のためのアンテナがＤＭＢ受信機及びＨＭＤ装置に加えられなければならないため、携帯するのに煩わしいという不具合がある。
【発明の概要】
【発明が解決しようとする課題】
【０００６】
本発明は、人体通信のためのＤＭＢ受信用携帯装置及びそのＤＭＢ送信方法、人体通信を利用したＤＭＢ受信用ＨＭＤ装置及びそのＤＭＢ送信方法を提供することを目的とする。ＤＭＢ受信用携帯装置は、ＤＭＢデータを、人体を介してＨＭＤ装置に伝送し、ＨＭＤ装置では人体を介して受信されたＤＭＢデータをＤＭＢ受信処理して再生できるようにすることによって、携帯装置とＨＭＤ装置とを接続する別途のケーブル又はアンテナ無しでユーザの人体を介してＤＭＢサービスを便利に受信することを可能にする。
【０００７】
本発明の他の目的及び長所は下記の説明によって理解することができ、本発明の実施形態によってさらに明らかに理解することができるであろう。また、本発明の目的及び長所は、特許請求の範囲に示す手段及びその組合せにより実現できることは容易に理解できるであろう。
【課題を解決するための手段】
【０００８】
本発明の態様によると、デジタルマルチメディア放送（ＤＭＢ）の受信機能を有する携帯装置であって、ＤＭＢ信号をＤＭＢ受信信号処理してオーディオ／ビデオ信号に変換し、ＤＭＢ受信信号の処理過程において生成されるＩＦ帯域放送信号又は伝送ストリーム（ＴＳ）を送信電極に伝達するためのＤＭＢ受信手段と、ＩＦ帯域放送信号又は伝送ストリーム（ＴＳ）を人体通信用ＤＭＢ信号で人体に印加するための送信電極とを備える。また、本発明は、ＤＭＢ受信手段で変換されたオーディオ／ビデオ信号を出力するための出力手段をさらに備える。
【０００９】
本発明の他の態様によると、ＤＭＢ受信処理機能を備えたヘッドマウントディスプレイ（ＨＭＤ）装置であって、ＤＭＢ受信用携帯装置からユーザの人体を介して伝送される人体通信用ＤＭＢ信号を受信するための受信電極と、ＤＭＢ受信信号処理によって人体通信用ＤＭＢ信号をオーディオ／ビデオ信号に変換し、オーディオ／ビデオ信号をＨＭＤ規格に適合するオーディオ／ビデオデータに変換するためのＤＭＢ受信処理手段と、ＤＭＢ受信処理手段で変換されたＨＭＤオーディオ／ビデオデータを再生するためのＨＭＤ処理手段とを備える。
【００１０】
本発明の他の態様によると、デジタルマルチメディア放送（ＤＭＢ）の受信機能を有する携帯装置に適用される人体通信用ＤＭＢ信号の伝送方法であって、アンテナを介して受信されたＲＦ帯域のＤＭＢ信号をＤＭＢ受信信号処理し、オーディオ／ビデオ信号に変換するＤＭＢ受信ステップと、ＤＭＢ受信ステップにおけるＤＭＢ受信信号の処理過程において生成されるＩＦ帯域放送信号又は伝送ストリーム（ＴＳ）をユーザの人体に印加して該当ＨＭＤ装置に送信する人体通信ステップとを含む。
【００１１】
本発明の他の態様によると、人体通信を利用したＤＭＢ受信用ＨＭＤ装置に適用されるＤＭＢ受信方法であって、ＤＭＢ受信用携帯装置からユーザの人体を介して伝送される人体通信用ＤＭＢ信号をＤＭＢ受信信号処理してオーディオ／ビデオ信号に変換するＤＭＢ受信処理ステップと、オーディオ／ビデオ信号をＨＭＤ規格に適合するオーディオ／ビデオデータに変換するＨＭＤデータ生成ステップと、変換されたオーディオ／ビデオＨＭＤデータを再生するＨＭＤ処理ステップとを含む。
【発明の効果】
【００１２】
本発明の実施形態によれば、携帯用の地上波ＤＭＢ受信機を携帯したユーザがＨＭＤ装置を介して地上波ＤＭＢを視聴することができる。
【００１３】
また、本発明は、ユーザの人体を伝送チャネルとして使用することによって、携帯用の地上波ＤＭＢ受信機とＨＭＤ装置とを互いに接続するための別途のケーブル又はアンテナを必要とせず、これによってユーザの便利性を高めることができる。
【図面の簡単な説明】
【００１４】
【図１】本発明に係る人体を伝送チャネルとしてＤＭＢ受信用ＨＭＤ装置とユーザ携帯装置とを接続する方法に対する一実施形態の説明図である。
【図２】本発明に係る人体通信のためのＤＭＢ受信用携帯装置及び人体通信を利用したＤＭＢ受信用ＨＭＤ装置の第１の実施形態の構成図である。
【図３】本発明に係る人体通信のためのＤＭＢ受信用携帯装置及び人体通信を利用したＤＭＢ受信用ＨＭＤ装置の第２の実施形態の構成図である。
【発明を実施するための形態】
【００１５】
前述した目的、特徴、及び長所は、添付の図面と関連した次の説明を介してより明確になり、これによって本発明が属する技術分野において通常の知識を有する者が本発明の技術的な思想を容易に実施することができるであろう。また、本発明の説明において、本発明と関連した公知技術に対する具体的な説明が本発明の要旨を不要に濁すと判断される場合、その説明は省略する。以下、添付の図面を参照して本発明に係る好ましい一実施形態を説明する。
【００１６】
図１は、本発明に係る人体を伝送チャネルとしてＤＭＢ受信用ＨＭＤ装置とユーザ携帯装置とを接続する方法に対する一実施形態の説明図である。
【００１７】
すなわち、同図は、地上波ＤＭＢ受信機１０１を備えたＤＭＢ受信用携帯装置（以下、「ユーザ携帯装置」という）１００、及びＤＭＢ受信処理部１２１を備えたＤＭＢ受信用ＨＭＤ装置（以下、「ＨＭＤ装置」という）１２０が人体１１０を伝送チャネルとして接触した状態を示す。
【００１８】
本発明は、地上波ＤＭＢ受信機１０１を備えるユーザ携帯装置１００が、外部から受信したマルチメディア放送データを人体１１０を介して伝達すると、ＨＭＤ装置１２０は、人体１１０を介してマルチメディア放送データを受信し、ＤＭＢ受信処理した後、ＨＭＤ処理部を介して表示する。
【００１９】
本発明は、地上波ＤＭＢ受信機を備えた携帯装置１００を保有しているユーザがＤＭＢ受信用ＨＭＤ装置１２０で携帯用地上波ＤＭＢが視聴することができる。
【００２０】
すなわち、本発明はユーザの人体１１０を伝送チャネルとして使用することによって、マルチメディアデータの伝送のための携帯装置１００とＨＭＤ装置１２０とを互いに接続するための別途のケーブルやアンテナを必要としない。既存の地上波ＤＭＢ受信機１０１を備えた携帯装置１００及び既存のＨＭＤ装置（本発明では「ＨＭＤ処理部２１６」に該当する）はそのままにし、伝送媒体のみを人体に換えたことから、既存の携帯装置１００及びＨＭＤ処理部２１６の他の機能はすべて同一に適用できる。
【００２１】
図２は、本発明に係る人体通信のためのＤＭＢ受信用携帯装置、及び人体通信を利用したＤＭＢ受信用ＨＭＤ装置の第１の実施形態の構成図である。
【００２２】
まず、本発明に係るユーザ携帯装置（人体通信のためのＤＭＢ受信用携帯装置）１００に対して説明する。
【００２３】
本発明に係るユーザ携帯装置１００は、大別するとＤＭＢ受信機１０１、出力部（例えば、ＬＣＤ、スピーカなど）２０５、及び電極部（送信電極）２０６を備える。
【００２４】
ここで、ＤＭＢ受信機１０１は、放送網を介して伝送されたＤＭＢ信号をＤＭＢ受信信号処理してオーディオ／ビデオ信号に変換し、そのＤＭＢ受信信号の処理過程で生成されるＩＦ帯域放送信号を電極部（送信電極）２０６に伝達する。このようなＤＭＢ受信機１０１の具体的な構成を詳説すると、ＤＭＢ受信機１０１は、アンテナ２０１、ＲＦチューナ部２０２、ベースバンド処理部（Ｂａｓｅｂａｎｄ  Ｐｒｏｃｅｓｓｏｒ）２０３、及びマルチメディア処理部（Ｍｕｌｔｉｍｅｄｉａ  Ｐｒｏｃｅｓｓｏｒ）２０４を備えてなる。ユーザ携帯装置１００のＤＭＢ受信機１０１が外部から伝送される放送信号を受信して処理する機能は一般的なＤＭＢ受信機と同一である。
【００２５】
ＤＭＢ受信機（例えば、地上波ＤＭＢ受信機）１０１のアンテナ２０１を介して受信され、ＲＦチューナ部２０２によってＩＦ帯域に変換されたＤＭＢ信号は、電極部（送信電極）２０６を介して人体１１０に印加される。人体１１０に印加されたＤＭＢ信号は、伝送チャネルである人体を介してＨＭＤ装置１２０に伝送される。
【００２６】
ＤＭＢ受信機１０１のアンテナ２０１を介して受信された地上波ＤＭＢ信号は、ＲＦチューナ部２０２で中間（ＩＦ）周波数帯域に変換され、電極部２０６を介して人体１１０に伝達される。
【００２７】
電極部２０６は、人体１１０と接触し、ＲＦチューナ部２０２の出力と人体１１０との間のインピーダンスの整合を行う。すなわち、電極部（送信電極）２０６は、ＩＦ帯域放送信号（人体通信用ＤＭＢ信号）を人体に印加する。
【００２８】
次に、本発明に係るＨＭＤ装置（ＤＭＢ受信用ＨＭＤ装置）１２０に対して説明する。
【００２９】
本発明に係るＨＭＤ装置１２０は、図面に示すように電極部（受信電極）２１１、ＤＭＢ受信処理部１２１、及びＨＭＤ処理部２１６を備える。
【００３０】
ここで、ＤＭＢ受信処理部１２１は、ＤＭＢ受信信号処理によってＩＦ帯域のＤＭＢ信号（人体通信用ＤＭＢ信号）をオーディオ／ビデオ信号に変換し、再度そのオーディオ／ビデオ信号をＨＭＤ規格に適合するオーディオ／ビデオデータに変換する機能を行なうものであって、復元部２１２、ベースバンド処理部２１３、マルチメディア処理部２１４、及びマルチメディア信号変換部２１５を備えて構成される。
【００３１】
人体１１０に伝達された信号は、電極部２１１を介してＤＭＢ受信処理部１２１の復元部２１２に入力される。電極部２１１は人体１１０と接触し、人体１１０とＤＭＢ受信処理部１２１との間のインピーダンスの整合を行う。
【００３２】
人体１１０及び電極部２１１を介した信号は、電極部２１１に出力された送信信号の他に、外部電子機器から伝送チャネルである人体１１０に生じたノイズ及び干渉（ｉｎｔｅｒｆｅｒｅｎｃｅ）も共に入力されるため、信号の歪曲（ｄｉｓｔｏｒｔｉｏｎ）が発生することから、復元部２１２には信号の歪曲を減少させて信号を復元するための増幅器及びフィルタ、ＡＤＣ、ＣＤＲなどが備えられる。
【００３３】
ベースバンド処理部２１３に入力されたデータは、ＭＰＥＧ２  ＴＳの規格に適合するバイトストリーム形態で出力され、マルチメディア処理部２１４に入力される。マルチメディア処理部２１４に入力された伝送ストリーム（ＴＳ）は、オーディオ信号及びビデオ信号に変換され、マルチメディア信号変換部２１５に伝達される。
【００３４】
マルチメディア信号変換部２１５は、マルチメディア処理部２１４から出力されたビデオ信号をＨＭＤ規格に適合するビデオ信号に変換してＨＭＤ処理部２１６に伝達し、マルチメディア処理部２１４から出力されたデジタルオーディオ信号をアナログオーディオ信号に変換してＨＭＤ処理部２１６に伝達する。ＨＭＤ処理部２１６に入力されたビデオ／オーディオ信号は、自体のＬＣＤ及びスピーカを介してビデオ／オーディオ信号を再生する。
【００３５】
図３は、本発明に係る人体通信のためのＤＭＢ受信用携帯装置及び人体通信を利用したＤＭＢ受信用ＨＭＤ装置の第２の実施形態の構成図である。
【００３６】
まず、本発明に係るユーザ携帯装置（人体通信のためのＤＭＢ受信用携帯装置）１００に対して説明する。
【００３７】
本発明に係るユーザ携帯装置１００は、大別するとＤＭＢ受信機１０１、出力部（例えば、ＬＣＤ、スピーカなど）３０５、及び電極部（送信電極）３０６を備える。
【００３８】
ここで、ＤＭＢ受信機１０１は、ＤＭＢ信号をＤＭＢ受信信号処理してオーディオ／ビデオ信号に変換し、そのＤＭＢ受信信号の処理過程で生成される伝送ストリーム（ＴＳ）を電極部３０６に伝達するものであって、具体的にはアンテナ３０１、ＲＦチューナ部３０２、ベースバンド処理部３０３、及びマルチメディア処理部３０４を備える。同図に示されたユーザ携帯装置１００は、ベースバンド処理部３０３から出力される伝送ストリーム（ＴＳ）を人体を介して伝送するという点を除いては図２に示されたユーザ携帯装置１００と同一である。
【００３９】
すなわち、第２の実施形態（図３参照）は、第１の実施形態（図２参照）とは異なり、ＤＭＢ受信機１０１のベースバンド処理部３０３から出力される伝送ストリーム（ＴＳ）を人体１１０を介してＨＭＤ装置１２０に伝達することを特徴とする。
【００４０】
ＤＭＢ受信機１０１のアンテナ３０１を介して入力された地上波ＤＭＢ信号は、ＲＦチューナ部３０２でＩＦ帯域に変換され、ベースバンド処理部３０３に入力される。ベースバンド処理部３０３は、入力された信号をＭＰＥＧ２  ＴＳ規格に適合するバイトストリーム形態に変換してマルチメディア処理部３１３及び電極部３０６に出力する。
【００４１】
電極部３０６は、人体と接触してベースバンド処理部３０３と人体１１０との間のインピーダンスの整合を行なうことによって、ベースバンド処理部３０３から出力される伝送ストリーム（ＴＳ）を人体１１０に伝達する。人体１１０に入力された伝送ストリーム（ＴＳ）は、電極部３１１を介してＨＭＤ装置１２０に伝送される。
【００４２】
次は、本発明に係るＨＭＤ装置（ＤＭＢ受信用ＨＭＤ装置）１２０に対して説明する。
【００４３】
本発明に係るＨＭＤ装置１２０は、図面に示すように電極部（受信電極）３１１、ＤＭＢ受信処理部１２１、及びＨＭＤ処理部３１５を備える。
【００４４】
ここで、ＤＭＢ受信処理部１２１は、ＤＭＢ受信信号処理によって伝送ストリーム（ＴＳ）（人体通信用ＤＭＢ信号）をオーディオ／ビデオ信号に変換した後、そのオーディオ／ビデオ信号をＨＭＤ規格に適合するオーディオ／ビデオデータに変換する機能を行なうものであって、復元部３１２、マルチメディア処理部３１３、及びマルチメディア信号変換部３１４を備えて構成される。
【００４５】
電極部３１１は、ＤＭＢ受信処理部１２１と人体１１０との間のインピーダンスの整合を行う。電極部３１１を介して入力された伝送ストリーム（ＴＳ）は、信号復元のために復元部３１２に伝送される。
【００４６】
復元部３１２には信号の歪曲を減少させてノイズ及び干渉に対して信号を復元するための増幅器又はフィルタ、ＡＤＣ、ＣＤＲなどが備えられる。マルチメディア処理部３１３に伝達された伝送ストリーム（ＴＳ）は、オーディオ／ビデオ信号に変換されてマルチメディア信号変換部３１４に伝送される。
【００４７】
マルチメディア信号変換部３１４は、オーディオ／ビデオ信号をＨＭＤ規格に適合するオーディオ／ビデオ信号に変換してＨＭＤ処理部３１５に伝達する。
【００４８】
前述したような本発明の方法は、プログラムとして具現されてコンピュータで読み出し可能な形態であって、記録媒体（ＣＤ  ＲＯＭ、ＲＡＭ、 ＲＯＭ、フロッピー（登録商標）ディスク、ハードディスク、光磁気ディスクなど）に保存され得る。このような過程は、本発明が属する技術分野において通常の知識を有する者が容易に実施できるため、これ以上の説明はしない。
【００４９】
以上で説明した本発明は、本発明が属する技術分野で通常の知識を有する者において、本発明の技術的な思想を逸脱しない範囲内で、様々な置換変形及び変更が可能であるため、前述した実施形態及び添付した図面により限定されない。
【図１】
0004705185.tif 000002
【図２】
0004705185.tif 000003
【図３】
0004705185.tif 000004